(57)【要約】【課題】  予約録画終了後に自動的にダビング動作を行う機能を有することで、後の手動操作によるダビング実行の手間を省くことができる情報記録再生装置及びこの装置を用いた自動ダビング方法を提供する。【解決手段】  記録媒体に映像・音声信号を記録再生可能な情報記録再生装置において、ユーザからの操作要求を入力する操作入力部と、この操作入力部から入力される操作要求が少なくとも１つ以上のタイトルの予約録画であった場合、予約録画実行終了後に記録媒体のダビング可否を設定する設定手段と、この設定手段によってダビング可と設定された場合、記録媒体の空き容量が前記タイトルの容量より大きいか否かを判定する容量判定手段と、この容量判定手段によって記録媒体の空き容量が大きいと判定した場合、記録媒体に前記タイトルをダビングする実行手段とを備えたことを特徴とする。【選択図】  図１
2007012148.tif 000002
【特許請求の範囲】
【請求項１】
記録媒体に映像・音声信号を記録または前記記録媒体から前記映像・音声信号を再生することが可能な情報記録再生装置において、
ユーザからの操作要求を入力する操作入力部と、
この操作入力部から入力される操作要求が少なくとも１つ以上のタイトルの予約録画であった場合、予約録画実行終了後に前記記録媒体にダビングを行うか否かを設定する設定手段と、
この設定手段によってダビング可と設定された場合、前記記録媒体の空き容量が前記タイトルの容量より大きいか否かを判定する容量判定手段と、
この容量判定手段によって前記記録媒体の空き容量が前記タイトルの容量より大きいと判定した場合、前記記録媒体に前記タイトルをダビングする実行手段とを具備することを特徴とする情報記録再生装置。
【請求項２】
記録媒体に映像・音声信号を記録または前記記録媒体から前記映像・音声信号を再生することが可能な情報記録再生装置において、
ユーザからの操作要求を入力する操作入力部と、
この操作入力部から入力される操作要求が少なくとも１つ以上の第１タイトルの予約録画であった場合、予約録画実行終了後に前記記録媒体にダビングを行うか否かを設定する設定手段と、
この設定手段によってダビング可と設定された場合、前記記録媒体の空き容量が前記第１タイトルの容量より大きいか否かを判定する容量判定手段と、
この容量判定手段によって前記記録媒体の空き容量が前記第１タイトルの容量より大きいと判定した場合、前記第１タイトルの次に予約された第２タイトルの予約録画開始時刻が前記第１タイトルのダビング終了予測時刻より後か否かを判定する時刻判定手段と、
この時刻判定手段によって前記第１タイトルのダビング終了予測時刻より後であると判定した場合、前記記録媒体に前記第１タイトルをダビングする実行手段とを具備することを特徴とする情報記録再生装置。
【請求項３】
記録媒体に映像・音声信号を記録または前記記録媒体から前記映像・音声信号を再生することが可能な情報記録再生装置の自動ダビング方法において、
ユーザからの操作要求が入力され、
この入力された操作要求が少なくとも１つ以上のタイトルの予約録画であった場合、予約録画実行終了後に前記記録媒体にダビングを行うか否かを設定し、
ダビング可と設定された場合、前記記録媒体の空き容量が前記タイトルの容量より大きいか否かを判定し、
前記記録媒体の空き容量が前記タイトルの容量より大きいと判定した場合、前記記録媒体に前記タイトルをダビングすることを特徴とする情報記録再生装置の自動ダビング方法。
【請求項４】
記録媒体に映像・音声信号を記録または前記記録媒体から前記映像・音声信号を再生することが可能な情報記録再生装置の自動ダビング方法において、
ユーザからの操作要求が入力され、
この入力された操作要求が少なくとも１つ以上の第１タイトルの予約録画であった場合、予約録画実行終了後に前記記録媒体にダビングを行うか否かを設定し、
ダビング可と設定された場合、前記記録媒体の空き容量が前記第１タイトルの容量より大きいか否かを判定し、
前記記録媒体の空き容量が前記第１タイトルの容量より大きいと判定した場合、前記第１タイトルの次に予約された第２タイトルの予約録画開始時刻が前記第１タイトルのダビング終了予測時刻より後か否かを判定し、
前記第１タイトルのダビング終了予測時刻より後であると判定した場合、前記記録媒体に前記第１タイトルをダビングすることを特徴とする情報記録再生装置の自動ダビング方法。
【発明の詳細な説明】
【技術分野】
【０００１】
この発明は、記録メディアに記録する情報量を管理し、他のメディアに移動或はコピーする場合にデータの過不足がなく、高品位の映像を記録することができる情報記録再生装置及びこの装置を用いた自動ダビング方法に関する。この発明が適応される装置としては、例えば装置に内蔵されたハードディスクと、この装置に着脱自在で録再可能なＤＶＤ（デジタル・バーサタイル・ディスク）などの媒体を取り扱うことが出来る機器がある。
【背景技術】
【０００２】
近年、画像圧縮技術として現在、国際規格化したＭＰＥＧ２(Moving Image Codeing Expert Group)方式が採用されたＤＶＤ規格が提案された。この規格は、ＭＰＥＧ２システムレイヤに従って、動画圧縮方式ＭＰＥＧ２方式をサポートし、音声圧縮方式にＡＣ３オーディオ圧縮方式及びＭＰＥＧオーディオ圧縮方式をサポートしている。またリニアＰＣＭ方式もサポートしている。さらに、映画やカラオケ等の字幕用としてビットマップデータをランレングス圧縮した副映像データを取り扱うことが出来るようになっている。
【０００３】
さらに、この規格では、早送り、逆送りなどの特殊再生が出来るように、コントロールデータ(ナビパック)を追加している。またこの規格では、コンピュータでディスクのデータを読むことが出来るように、ＩＳＯ９６６０とマイクロ・ユニバーサル・ディスク・フォーマット（ＵＤＦ）の規格をサポートしている。
【０００４】
また、メディア自身の規格としては、ＤＶＤビデオのメディアであるＤＶＤ−ＲＯＭの規格に続き、ＤＶＤ−ＲＡＭの規格（記憶容量４．７ＧＢ）も完成している、ＤＶＤ−ＲＡＭは、そのドライブと併せてコンピュータの周辺機器及び記憶メディアとして普及し始めている。
【０００５】
さらに、現在ではＤＶＤ−ＲＡＭを使用し、リアルタイムで映像情報の記録再生が可能なシステムを実現する規格であるＤＶＤ−ビデオレコーディング（ＶＲ：Video Recording）規格が完成している。この規格は、現在発売されているＤＶＤ−Ｖｉｄｅｏ規格を元に考えられている。さらに、このＤＶＤ−ＶＲに対応したファイルシステムも規格化されている。
【０００６】
一方では、大容量のハードディスク装置（ＨＤＤ）を内蔵した記録再生装置が製品化され、放送信号の録画再生に使用されている。
【０００７】
上記のように画像圧縮技術の発達に伴い、情報記憶メディア（ＤＶＤ―ＲＡＭ、ハードディスク、半導体メモリ等）を、放送信号などの映像情報のために、リアルタイムで記録再生する情報記録再生装置が開発、製品化されている。
【０００８】
このような情報記録再生装置においてダビングの実行を考慮した装置が開発されてきている。特に、特開２００４−４０３３５号公報には、予約録画が設定されている状況で、ダビングが開始され、実行されているとき、予約録画がされていた時刻になると、ダビングが中止され、録画が開始されてしまうのを防止することが記載されている。もう少し具体的に言うと、所定のタイトルのダビングが指示されたとき、そのダビングが終了するまで、既に予約されている記録動作が実行されてしまうようなことがないか否かが判断され、その判断に基づき、既に予約されている記録動作が実行されてしまうことがあると判断される場合には、指示されたダビングは実行されないようにする。そうすることで、予め予約されたタイトルの記録動作と、新たに設定されたタイトルのダビングの動作とが重なるようなことを防ぐことができるものである。
【特許文献１】特開２００４−０４０３３５号公報
【発明の開示】
【発明が解決しようとする課題】
【０００９】
上記特許文献１に記載の技術によると、予約録画したタイトルをダビングする場合は、ダビングするときにユーザにより手動でダビング操作画面をわざわざ呼び出し、ダビング設定するという煩わしい作業を行う必要がある。
【００１０】
そこで、本発明は上記の問題を解決するために成されたものであり、予約録画終了後に自動的にダビング動作を行う機能を有することで、後の手動操作によるダビング実行の手間を省くことができる情報記録再生装置及びこの装置を用いた自動ダビング方法を提供する。
【課題を解決するための手段】
【００１１】
上記した課題を解決するために、この発明は、記録媒体に映像・音声信号を記録または前記記録媒体から前記映像・音声信号を再生することが可能な情報記録再生装置において、ユーザからの操作要求を入力する操作入力部と、この操作入力部から入力される操作要求が少なくとも１つ以上のタイトルの予約録画であった場合、予約録画実行終了後に前記記録媒体にダビングを行うか否かを設定する設定手段と、この設定手段によってダビング可と設定された場合、前記記録媒体の空き容量が前記タイトルの容量より大きいか否かを判定する容量判定手段と、この容量判定手段によって前記記録媒体の空き容量が前記タイトルの容量より大きいと判定した場合、前記記録媒体に前記タイトルをダビングする実行手段とを具備することを特徴とする。
【発明の効果】
【００１２】
この発明によれば、録画予約時、録画終了後にダビング動作を行うかを指定し、予約録画終了後、自動的にダビング動作を行うことで、後で、手動操作によるダビング実行を行う必要がなくなり、操作の手間を省くことができる。
【発明を実施するための最良の形態】
【００１３】
以下、この発明の実施例について、図面を参照しながら詳細に説明する。
【００１４】
図１は、本発明の情報記録再生装置に係る実施の形態の概略構成を示すブロック図である。
【００１５】
この実施例で示した情報記録再生装置では、記録媒体としてＤＶＤ−ＲＡＭ、ハードディスクの両方を取り扱うことが出来る。図１は、ＤＶＤ−ＲＡＭドライブ装置８とハードディスクドライブ装置９を有する。ＤＶＤ−ＲＡＭドライブ装置８では、光ディスクメディアであるＤＶＤ−ＲＡＭの読み書きができ、また幾つかの種類のＤＶＤ−ＲＡＭに対応してアクセスが可能である。ハードディスクドライブ９には、記録媒体としてハードディスクメディアが内蔵されている。
【００１６】
これら、２つの記録メディアのドライブ装置は、回転制御系や、レーザー駆動系回路や、光学系回路または、メディアに記録されたデータのエラー訂正などの処理もすべて含まれた装置である。
【００１７】
この情報記録再生装置の基本的な動作を説明する。映像入力部１および音声入力部２から映像信号と音声信号が入力される。映像信号は、アナログデジタル（Ａ／Ｄ）変換回路３で、音声信号は、Ａ／Ｄ変換回路４にてアナログ信号からディジタル信号に変換される。
【００１８】
変換された映像ディジタル信号は、エンコーダ５にてＭＰＥＧ２の圧縮ビデオデータに符号化され、音声ディジタル信号は、例えばＡＣ３やＭＰＥＧなどの圧縮オーディオデータに符号化される。さらに、これらの圧縮されたビデオとオーディオデータは、さらに、エンコーダ５にてＭＰＥＧ２システムレイヤーに変換される。
【００１９】
エンコーダ５からの信号は、フォーマッタ６でフォーマット変換され、ＤＶＤレコーディング規格（ＤＶＤ−ＲＡＭ，ＤＶＤ−ＲＷなど）に規定したフォーマットに変換される。
【００２０】
フォーマット変換された信号は、データ処理部７にてＤＶＤ−ＲＡＭドライブ８或はハードディスクドライブ９に準拠したコマンドを含めた記録データに変換され、ＤＶＤ−ＲＡＭやハードディスクに記録される。データ処理部７は主にバッファ回路で占められている。
【００２１】
ここで、本装置は、フォーマット変換されたデータのほかに、再生用管理情報をＭＰＵ部１８で作成し、データ処理部７を介してＤＶＤ−ＲＡＭ或はハードディスクに記録する。
【００２２】
また、ＤＶＤ−ＲＡＭに記録された情報をデータ処理部７を介してハードディスクに記録することも出来る。反対に、ハードディスクの情報をＤＶＤ−ＲＡＭに記録することも可能である。ただし、ＤＶＤ−ＲＡＭもハードディスクも同じフォーマットであることが条件である。
【００２３】
また、ＤＶＤ−ＲＡＭあるいはハードディスクに記録された複数番組の編集も可能になる。その場合、ＤＶＤ−ＶＲフォーマットに対応した方法などにて、容易に複数番組の削除や、編集用再生等が可能である。その場合、ＭＰＵ部１８にて、それら管理情報の修正と、さらに、フォーマットされた信号の複写・移動・削除などがデータ処理部７を介して行われる。
【００２４】
記録したデータを再生する場合、ＤＶＤ−ＲＡＭやハードディスクからデータ処理部７にフォーマットされたデータが入力され、データ処理部７の出力がデコーダ１０に入力される。デコーダ１０では、ＤＶＤフォーマット信号のデコードを行う。
【００２５】
デコーダ１０は、主に、フォーマットされたデータを分離する部分と、分離された圧縮ビデオデータ、オーディオデータをそれぞれデコードする部分を有する。ビデオデータはＭＰＥＧ２方式によるデコード処理を施され、オーディオデータはＭＰＥＧやＡＣ３などのデコード処理を施される。デコードされたビデオデータ、オーディオデータは、それぞれ、セレクタ１１Ａ、１１Ｂに送られる。セレクタ１１Ａ、１１Ｂでは、入力信号をそのままデジタルアナログＤ／Ａ変換回路１２、１３に送る場合と、記録された情報を再生する場合で切替る。切替の制御はＭＰＵ部１８が行う。セレクタ１１Ａから出力されたビデオデータは、Ｄ／Ａ変換回路１２でアナログ信号に変換され、モニタ１４に供給される。またセレクタ１１Ｂから出力されたオーディオデータはＤ／Ａ変換回路１３でアナログ信号に変換され、スピーカ１５に供給される。
【００２６】
また、ＭＰＵ部１８では、上記に述べた以外に、キー入力部１６からユーザーのコマンド制御を受け、情報記録再生装置の動作の制御を行う。本発明では録画予約時、予約録画実行終了後にダビング動作を行うかをユーザは指定することができる。またＭＰＵ部１８は、ユーザーに対して装置の現在の状態を表示部１７で表示させる。ＭＰＵ部１８では、これらの処理のために、ＲＡＭや制御プログラムなどを内蔵したＲＯＭを備えている。ＭＰＵは、制御プログラムに従って、システム全体の制御、ユーザーからのコマンド制御の入力、現在の状態表示、ＤＶＤフォーマットの各種検出等の制御を行う。
【００２７】
次に、情報記録再生装置のダビング動作処理について図２のフローチャート、図３の録画予約画面を参照して説明する。
【００２８】
まず、録画予約を行う場合、ユーザがキー入力部１６の録画予約ボタン（図示せず）を押下すると、ＭＰＵ１７は内蔵のＲＡＭからビデオＤ／Ａ１２を介してモニタ１４に図３の録画予約画面３０を表示させる。この録画予約画面３０には「ダビング先」という項目が追加されている。そして、ユーザは本画面上に、例えば１つ目のタイトル予約として「（ＣＨ）４、（日付）３／７（月）、（開始−終了）１９：００−２０：００、（記録先）ＨＤＤ、（モード）ＳＰ、（ダビング先）ＤＶＤ」と入力する。また、２つ目のタイトル予約として「（ＣＨ）８、（日付）３／７（月）、（開始−終了）２０：００−２１：５４、（記録先）ＨＤＤ、（モード）ＬＰ、（ダビング先）なし」と入力し、さらに、３つ目のタイトル予約として「（ＣＨ）１、（日付）毎月曜日、（開始−終了）２３：００−２３：３０、（記録先）ＨＤＤ、（モード）ＳＰ、（ダビング先）ＨＤＤ」と入力して録画予約の設定を終了させる（ステップＳＴ１）。
【００２９】
予約録画終了後、ＭＰＵ１７は録画予約画面で設定した「ダビング先」にＨＤＤ、ＤＶＤの指定があるか否か、又は前予約録画のダビング待機があるかどうかを判断する（ステップＳＴ３）。ダビング先への指定、又は前予約録画のダビング待機がない場合はそのまま終了となる。ある場合はステップＳＴ５へ進む。
【００３０】
ＭＰＵ１７は、「ダビング先」に指定されたメディアに記録可能な空き容量があるか確認する（ステップＳＴ５）。すなわち、ＭＰＵ１７はデータ処理部７からハードディスク又はＤＶＤの空き容量を得て、「ダビング先」の空き容量が録画タイトル（第１タイトル）の容量より大きいか否かを判断する。「ダビング先」の空き容量が録画タイトルの容量より小さいと判断した場合（ステップＳＴ５のＮ）、ダビングできないためそのまま終了となる。また録画タイトルの容量より大きいと判断した場合（ステップＳＴ５のＹ）、ダビング可能となりステップＳＴ７へ進む。
【００３１】
ＭＰＵ１７は、次の録画タイトル（第２タイトル）の予約録画開始時刻がダビング終了予測時刻より後かどうかを判断する（ステップＳＴ７）。ダビング終了予測時刻より後である場合（ステップＳＴ７のＹ）、予約した録画タイトル（第１タイトル）を指定ダビング先のＨＤＤ／ＤＶＤにダビングする（ステップＳＴ９）。もし、予約録画終了直後に次の予約があるか、または、次の予約開始時刻までにダビングが完了しないと予想される場合は（ステップＳＴ７のＮ）、次の録画タイトル（第２タイトル）の予約録画終了後、以前に録画した第１タイトルのダビングを行う（ステップＳＴ１１）。
【００３２】
このように、録画予約時、録画終了後にダビング動作を行うかを指定し、予約録画終了後、自動的にダビング動作を行うことで、後で、手動操作によるダビング実行を行う必要がなくなり、操作の手間を省くことができる。
【００３３】
なお、本発明は、上記実施形態に限定されるものではなく、実施段階では、その要旨を逸脱しない範囲で種々に変形することが可能である。
【図面の簡単な説明】
【００３４】
【図１】本発明の一実施の形態による情報記録再生装置の概略構成図。
【図２】同実施の形態に係る情報記録再生装置のダビング動作処理を示すフローチャート。
【図３】同実施の形態に係る情報記録再生装置における録画予約画面を示す。
【符号の説明】
【００３５】
３  ビデオＡ／Ｄ
４  オーディオＡ／Ｄ
５  エンコーダ
６  フォーマッタ
７  データ処理部
８  ＤＶＤ−ＲＡＭドライブ
９  ＨＤＤ（ハードディスクドライブ）
１０  デコーダ
１４  モニタ
１７  ＭＰＵ
【図１】
2007012148.tif 000003
【図２】
2007012148.tif 000004
【図３】
2007012148.tif 000005